(57)【特許請求の範囲】
【請求項１】
インターネット取引システムに応用され、インターネット取引に於いて、買主と売主双方の安全を確保する方法であって、
前記インターネット取引システムは、第一端末装置、第二端末装置、第三端末装置、及び認証ユニットを備え、
前記第三端末装置は、インターネットを経由して前記第一端末装置および前記第二端末装置にそれぞれ接続され、内部に複数の口座情報が記録されている口座データ及び複数の金額情報が記録されている金額データが保存され、複数の前記口座情報と複数の前記金額情報とが対応しており、
前記第三端末装置が、前記第一端末装置から伝送された第一口座データ、第一商品コード、及び販売金額を含む商品取引データを受信するステップと、
前記第三端末装置が前記第一商品コードを前記認証ユニットに伝送するステップと、
前記認証ユニットが、前記第一商品コードに対応する商品が未使用状態であるか否かを確認し、商品が未使用状態である場合、前記第一商品コードをロック状態にし、ロック完了データを前記第三端末装置に送信するステップと、
前記第三端末装置が、ロック完了データを受信後、前記商品取引データを取引プラットフォームに表示するステップと、を含むことを特徴とするインターネット取引方法。
【請求項２】
前記第二端末装置が前記取引プラットフォームを経由して伝送した第二口座データ及び前記第一商品コードを含む商品購買データを前記第三端末装置が受信するステップと、
前記第三端末装置が、前記口座データ及び前記金額データに基づき、前記第二口座データに対応する金額が前記販売金額を支払うのに十分であるか否かを判断し、十分である場合、前記第二口座データに対応する金額から前記販売金額を差し引き、商品取引完了データを前記認証ユニットに伝送するステップと、
前記認証ユニットが、前記商品取引完了データに基づき、前記商品に対応する第二商品コードを生成し、前記第一商品コードを前記第二商品コードに置き換え、前記第二商品コードを前記第三端末装置に伝送するステップと、
前記第三端末装置が、前記第二商品コードを前記第二端末装置に伝送し、前記第二口座データに対応する金額から支払われた前記販売金額を前記第一口座データに対応する金額に加えるステップと、を更に含むことを特徴とする請求項１に記載のインターネット取引方法。
【請求項３】
前記第三端末装置は、前記ロック完了データを受信後、前記商品取引データを前記取引プラットフォームに表示する前に、前記商品取引データ中の前記第一商品コードを第一商品名称に置き換えることを特徴とする請求項１に記載のインターネット取引方法。
【請求項４】
前記第三端末装置は、前記ロック完了データを受信後、前記商品取引データを前記取引プラットフォームに表示する前に、前記商品取引データ中の前記第一口座データを削除することを特徴とする請求項３に記載のインターネット取引方法。
【請求項５】
前記第二端末装置が前記取引プラットフォームを経由して伝送した第二口座データ及び前記第一商品名称を含む商品購買データを前記第三端末装置が受信するステップと、
前記第三端末装置が、前記口座データ及び前記金額データに基づき、前記第二口座データに対応する金額が前記販売金額を支払うのに十分であるか否かを判断し、十分である場合、前記第二口座データに対応する金額から前記販売金額を差し引き、商品取引完了データを前記認証ユニットに伝送するステップと、
前記認証ユニットが、前記商品取引完了データに基づき、前記商品に対応する第二商品コードを生成し、前記第一商品コードを前記第二商品コードに置き換え、前記第二商品コードを前記第三端末装置に伝送するステップと、
前記第三端末装置が、前記第二商品コードを前記第二端末装置に伝送し、前記第二口座データに対応する金額から支払われた前記販売金額を前記第一口座データに対応する金額に加えるステップと、を更に含むことを特徴とする請求項３または請求項４に記載のインターネット取引方法。
【請求項６】
インターネット取引システムに応用され、インターネット取引に於いて、買主と売主双方の安全を確保する方法であって、
前記インターネット取引システムは、第一端末装置、第二端末装置、第三端末装置、及び認証ユニットを備え、
前記第三端末装置は、インターネットを経由して前記第一端末装置および前記第二端末装置にそれぞれ接続され、内部に複数の口座情報が記録されている口座データ及び複数の金額情報が記録されている金額データが保存され、複数の前記口座情報と複数の前記金額情報とが対応しており、
前記第三端末装置が前記第一端末装置から伝送される第一口座データ、第一商品コード、及び販売金額を含む商品取引データを受信するステップと、
前記第三端末装置が前記第一商品コードを前記認証ユニットに伝送するステップと、
前記認証ユニットが前記第一商品コードに対応する商品が未使用状態であるか否かを確認し、商品が未使用状態である場合、前記第一商品コードをロック状態にし、前記商品に対応する第二商品コードを生成し、前記第一商品コードを前記第二商品コードに置き換え、ロック完了データ及び前記第二商品コードを前記第三端末装置に伝送するステップと、
前記第三端末装置は、前記ロック完了データ及び前記第二商品コードを受信後、前記商品取引データを取引プラットフォームに表示するステップと、を含むことを特徴とするインターネット取引方法。
【請求項７】
前記第三端末装置は、前記第二端末装置が前記取引プラットフォームを経由して伝送した第二口座データ及び前記第一商品コードを含む商品購買データを前記第三端末装置が受信するステップと、
前記第三端末装置が、前記口座データ及び前記金額データに基づき、前記第二口座データに対応する金額が前記販売金額を支払うのに十分であるか否かを判断し、十分である場合、前記第二口座データに対応する金額から前記販売金額を差し引くステップと、
前記第三端末装置が、前記第二商品コードを前記第二端末装置に伝送し、前記第二口座データに対応する金額から支払われた前記販売金額を前記第一口座データに対応する金額に加えるステップと、を更に含むことを特徴とする、請求項６に記載のインターネット取引方法。
【請求項８】
前記第三端末装置が、前記ロック完了データ及び前記第二商品コードを受信後、前記商品取引データを前記取引プラットフォームに表示する前に、前記商品取引データ中の前記第一商品コードを第一商品名称に置き換えることを特徴とする請求項６に記載のインターネット取引方法。
【請求項９】
前記第三端末装置は、前記ロック完了データ及び前記第二商品コードを受信後、前記商品取引データを前記取引プラットフォームに表示する前に、前記商品取引データ中の前記第一口座データを削除することを特徴とする請求項６に記載のインターネット取引方法。
【請求項１０】
インターネット取引システムに応用され、インターネット取引に於いて、買主と売主双方の安全を確保する方法であって、
前記インターネット取引システムは、第一端末装置、第二端末装置、第三端末装置、及びゲームメーカのサーバーを含み、
前記第三端末装置は、インターネットを経由して前記第一端末装置、第二端末装置、及び前記ゲームメーカのサーバーにそれぞれ接続され、内部に複数の口座情報が記録されている口座データ及び複数の金額情報が記録されている金額データが保存され、複数の前記口座情報と複数の前記金額情報とが対応しており、前記ゲームメーカのサーバーに認証ユニットが設置されており、
前記第三端末装置が、前記第一端末装置から伝送された第一口座データ、商品データ、及び販売金額を含む商品取引データを受信するステップと、
前記第三端末装置が前記商品データを前記認証ユニットに伝送するステップと、
前記認証ユニットが、前記商品データに対応する商品が正確であるか否かを確認し、正確である場合、前記商品データをロック状態にし、前記商品データに基づき商品コードを生成し、前記商品コードを前記第三端末装置に伝送するステップと、
前記第三端末装置が、前記商品コードを受信後、少なくとも前記商品データ及び前記販売金額を取引プラットフォームに表示するステップと、を含むことを特徴とするインターネット取引方法。
【請求項１１】
前記第二端末装置が前記取引プラットフォームを経由して伝送した第二口座データ及び前記商品データを含む商品購買データを前記第三端末装置が受信するステップと、
前記第三端末装置が、前記口座データ及び前記金額データに基づき、前記第二口座データに対応する金額が前記販売金額を支払うのに十分であるか否かを判断し、十分である場合、前記第二口座データに対応する金額から前記販売金額を差し引き、前記商品コードを前記ゲームメーカのサーバーに伝送するステップと、
前記ゲームメーカのサーバーが前記商品コードに基づき出荷プロセスを実行し、前記第三端末装置が前記第二口座データに対応する金額から支払われた前記販売金額を前記第一口座データに対応する金額に加えるステップと、を更に含むことを特徴とする請求項１０に記載のインターネット取引方法。
【請求項１２】
前記ゲームメーカのサーバーが前記出荷プロセスを実行する前に、前記認証ユニットが、前記商品コードに対して認証を行い、前記商品コードが正確であるか否かを判断し、正確である場合、前記ゲームメーカのサーバーが前記出荷プロセスを実行することを特徴とする請求項１１に記載のインターネット取引方法。
【発明の詳細な説明】
【技術分野】
【０００１】
本発明は、インターネット取引方法に関し、詳しくは、バーチャル商品、ソフトウェア登録番号またはコード、もしくは、ポイントカード認証パスワードの不正使用を防止し、買主および売主の双方がバーチャル商品及び金額をそれぞれ確実に得られるインターネット取引方法に関する。
【背景技術】
【０００２】
図１に示すように、従来のゲーム商品を提供するインターネット取引システム１は、第一端末装置１１、第二端末装置１２、及び第三端末装置１３を含む。第三端末装置１３内には、取引プラットフォーム（例えば、アイテム取引８５９１インターネットサイト）が設定されている。ユーザーは、第一端末装置１１及び第二端末装置１２のディスプレイモニターにより取引プラットフォーム上の商品内容を確認する。第三端末装置１３内には口座データ１３１及び金額データ１３２が保存されている。口座データ１３１は複数の口座で構成される。金額データ１３２には複数の金額が記録されている。各口座は均しく各１つの金額に対応する。特に、各口座はユーザーが第三端末装置１３を用いてアカウントを登録すると共に入金可能であり、登録されたアカウントは入金総額に対応しており、その後の取引がスムーズに処理される。
【０００３】
売主がポイントカードを販売する場合、第一端末装置１１から売主の口座データ（例えば、口座名称或いは口座の識別コード）、ポイントカードの名称、及び販売金額を含む商品販売データが第三端末装置１３に伝送される。第三端末装置１３は、商品販売データを受信後、ポイントカードの販売データを取引プラットフォームに表示する。ユーザーは取引プラットフォームを利用して購買したいバーチャル商品を検索する。
【０００４】
また、買主は第二端末装置１２を用いて取引プラットフォームの内容を確認することができる。ポイントカードを購買する場合、取引プラットフォームから、買主の口座、ポイントカードの名称、及び購買金額を含む商品購買データを第三端末装置１３に伝送される。第三端末装置１３は、商品購買データを受信後、先ず買主の口座に対応する金額が購買金額を支払うのに十分であるかを判断する。十分である場合、第三端末装置１３は、買主口座から先に購買金額を差し引くが、購買金は、売主に支払われ、凍結される。
【０００５】
ここで、第一端末装置１１に通知し、売主にポイントカードの売買が成立したと知らせ、売主がポイントカードを買主に郵送するか、ポイントカードのシリアルナンバーを買主に通知する。買主がポイントカードを取得後、第二端末装置１２から取引完了データを第三端末装置１３に伝送し、第三端末装置１３が取引完了データを受信後、凍結された購買金額を売主口座に対応する金額に加え、売買が成立する。
【先行技術文献】
【特許文献】
【０００６】
【特許文献１】特開２００７−２７９８０９号公報
【発明の概要】
【発明が解決しようとする課題】
【０００７】
しかしながら、前述した従来の技術では、図１に示すように、多くの問題がある。まず、ポイントカードについて言えば、買主が一旦、実際のカードやポイントカードのシリアルナンバーを取得した後、第二端末装置１２から取引完了データを直接伝送し、これにより売主が販売し金額を受領した後にインターネット上でポイントカードのシリアルナンバーを使用するため、買主はポイントカードのシリアルナンバーを直ちに使用することが出来なかった。また、買主が実際のカードやポイントカードのシリアルナンバーを取得後、取引完了データを伝送するのが遅れると売主は金額を取得できず、数多くの取引上の争議を引き起こす問題があった。
【０００８】
そこで、本発明者は上記の欠点が改善可能であると考え、鋭意検討を重ねた結果、合理的設計で上記の課題を効果的に改善する本発明の提案に到った。
【０００９】
本発明は、このような従来の問題に鑑みてなされたものである。本発明は、インターネット取引に於いて買主および売主の双方の安全を確保可能なインターネット取引方法を提供することを目的とする。
【課題を解決するための手段】
【００１０】
上述した課題を解決するために、本発明に係るインターネット取引方法は、インターネット取引システムに応用され、インターネット取引に於いて、買主と売主双方の安全を確保する方法である。インターネット取引システムは、第一端末装置、第二端末装置、第三端末装置、及び認証ユニットを備える。第三端末装置は、インターネットを経由して第一端末装置および第二端末装置にそれぞれ接続され、内部に複数の口座情報が記録されている口座データ及び複数の金額情報が記録されている金額データが保存され、複数の前記口座情報と複数の前記金額情報とが対応している。
【００１１】
本発明に係るインターネット取引方法は、下記の（Ａ）〜（Ｄ）のステップを含む。
（Ａ）、第三端末装置が、第一端末装置から伝送された第一口座データ、第一商品コード、及び販売金額を含む商品取引データを受信する。
（Ｂ）、第三端末装置が第一商品コードを認証ユニットに伝送する。
（Ｃ）、認証ユニットが、第一商品コードに対応する商品が未使用状態であるか否かを確認し、商品が未使用状態である場合、第一商品コードをロック状態にし、ロック完了データを第三端末装置に送信する。
（Ｄ）、第三端末装置が、ロック完了データを受信後、商品取引データを取引プラットフォームに表示する。
【００１２】
また、本発明によるインターネット取引方法は、下記のステップをさらに含む。
第三端末装置が第一端末装置から伝送された商品取引データ(第一口座データ、商品データ及び販売金額を含む)を受信し、商品データを認証ユニットに伝送し、商品データに対応する商品が正確であるかを認証するステップを含む。
正確である場合、認証ユニットが、商品データをロック状態にし、商品データに基づき商品コードを生成し、商品コードを第三端末装置に伝送するステップを含む。
第三端末装置が、商品コードを受信した後、商品取引データを取引プラットフォームに表示するステップを含む。
第二端末装置が、取引プラットフォームを用いて伝送した商品購買データ(第二口座データ及び前記商品データを含む)を第三端末装置が受信するステップを含む。
第三端末装置が、第二口座データに対応する金額から販売金額を差し引き、商品コードをゲームメーカのサーバーに伝送するステップを含む。
ゲームメーカのサーバーが、商品コードに基づき、出荷プロセスを実行するステップ、
第三端末装置が、第二口座データに対応する金額から支払われた販売金額を第一口座データに対応する金額に加えるステップを含む。
【図面の簡単な説明】
【００１３】
【図１】従来のインターネット取引システムを示す模式図である。
【図２】本発明の第一実施形態によるインターネット取引システムを示す模式図である。
【図３】本発明の第一実施形態によるインターネット取引方法の預金残高資料及び経費資料を示す模式図である。
【図４Ａ】本発明の第一実施形態によるインターネット取引方法のフローチャートである。
【図４Ｂ】本発明の第一実施形態によるインターネット取引方法のフローチャートである。
【図５】本発明の第二実施形態によるインターネット取引システムを示す模式図である。
【図６Ａ】本発明の第二実施形態よるインターネット取引方法のフローチャートである。
【図６Ｂ】本発明の第二実施形態よるインターネット取引方法のフローチャートである。
【発明を実施するための形態】
【００１４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
（第一実施形態）
【００１５】
以下、第一実施形態を図２〜４に基づいて説明する。
まず、図２を参照しながらインターネット取引による安全方法を説明する。方法はインターネット取引システム２に応用される。インターネット取引システム２は第一端末装置２１、第二端末装置２２、第三端末装置２３、及び認証ユニット２４を含む。認証ユニット２４は第三端末装置２３に位置される。図２と図３に示すように、第三端末装置２３はインターネット（Internet）を通しこれら端末装置２１及び端末装置２２にそれぞれ接続される。内部には口座データ２５及び金額データ２６が保存され、口座データ２５は例えばａ１?ａ４等の複数の口座情報２５１で構成され、金額データ２６には例えば１０００、１０００、２０００、５０００等の複数の金額情報２６１が記録され、各口座情報２５１は均しく各１つの金額情報２６１に対応する。例えば口座情報２５１のａ１に対応する金額情報２６１は１０００元、口座情報２５１のａ２に対応する金額情報２６１は１０００元等である。売主がネットワークゲームのポイントカードを販売する場合、第一端末装置２１から第一口座データ、第一商品コード（ネットワークゲームのポイントカードのシリアルナンバー１２３４５６等）、及び販売金額（５００元等）を含む商品取引データが伝送される。第一口座データは売主が登録した口座情報２５１（本実施例ではａ１）或いは売主が登録した口座情報２５１のＩＤ識別コードである。続いて、第三端末装置２３は、第一端末装置２１から伝送された商品取引データを受信後、第一商品コードを認証ユニット２４に伝送する。
【００１６】
認証ユニット２４は第一商品コードに対応する商品（即ち、ネットワークゲームのポイントカード）が未使用状態か認証し、未使用状態の場合は第一商品コードをロック状態にする。即ち、第一商品コードのロック状態が解除されていなければ、誰も第一商品コードに対応する商品を使用出来ないため、売主は販売過程に於いて商品を悪用出来なくなる。認証ユニット２４は第一商品コードをロックした後、ロック完了データを第三端末装置２３に伝送し、第三端末装置２３はロック完了データを受信後、商品取引データを取引プラットフォーム（ＹＡＨＯＯオークション、アイテム取引８５９１、ｅＢａｙ等のサイト）に表示する。取引プラットフォームとは第三端末装置２３が提供するインターネットサイトであり、これら端末装置２１及び端末装置２２は取引プラットフォーム上で商品を確認できる。このほか、本発明の他の実施例では、第三端末装置２３はロック完了データを受信後、商品取引データ中の第一商品コードを第一商品名称（ポイントカード等）に更に変換し、商品取引データを取引プラットフォームに表示する。取引未完了の場合、買主が第一商品コードを先に取得するか、第三端末装置２３が商品取引データの第一口座データを消去した後、商品取引データが取引プラットフォームに表示される。
【００１７】
買主は、第二端末装置２２により取引プラットフォームの商品取引データを確認し、ネットワークゲームのポイントカードを購買する場合、第二端末装置２２を用い取引プラットフォームを利用して第二口座データ（即ち、買主が登録した口座情報２５１、実施例の場合はａ２、或いは買主が登録した口座情報２５１のＩＤ識別コード等）及び第一商品コードを含む商品購買データを第三端末装置２３に伝送さする。次に、第三端末装置２３は、商品購買データを受信後、口座データ２５及び金額データ２６に基づき第二口座データ（買主が登録した口座情報２５１、即ちａ２）に対応する金額情報２６１が販売金額を支払うのに十分かを判断し、第二口座データ（即ちａ２）に対応する金額情報２６１は１０００元であるため、第三端末装置２３は第二口座データに対応する金額情報２６１から販売金額を差し引く。つまり、第二口座データ（即ちａ２）に対応する金額情報２６１は５００元に変更され、また商品取引完了データが認証ユニット２４に伝送される。但し、他の実施例では、第一商品コードは第一商品名称に変更された後、商品購買データは第二口座データ及び第一商品名称を含む。
【００１８】
認証ユニット２４は、商品取引完了データに基づき商品に対する第二商品コード（ネットワークゲームのポイントカードのシリアルナンバー６５４３２１等）を生成して第一商品コードを置き換え、第二商品コードを第三端末装置２３に伝送する。続いて、第三端末装置２３は、第二商品コードを第二端末装置２２に伝送し、第二口座デーに対応する金額中から支払われた販売金額を第一口座データに対応する金額情報２６１に加える。即ち、第一口座データ（売主が登録した口座情報２５１、即ちａ１）に対応する金額情報２６１が１５００元に変更され、全てのインターネット取引を安全に完了する。これにより、売主は第一商品コードを得られるが、但し商品が販売された後に第一商品コードはロック状態となり、その後に第二商品コードに代替されるため、売主は第一商品コードを悪用出来ず、買主は正常に第二商品コードに対応する商品（ネットワークゲームのポイントカード）を使用可能になる。このほか、売主は金額を迅速に取得でき、買主が取引完了データが第三端末装置２３に伝送されるのを待たずに金額を取得出来るため、買主と売主双方のインターネット取引上の権利を有効的に保障される。
【００１９】
以下は本発明のインターネット取引システム２の処理フローチャートを図２?４Ａ、４Ｂに基づいて説明する。
ステップ３０１：第一端末装置２１が伝送した商品取引データを第三端末装置２３が受信し、ステップ３０２に進む。
ステップ３０２：第三端末装置２３が第一商品コードを認証ユニット２４に伝送し、ステップ３０３に進む。
ステップ３０３：認証ユニット２４は第一商品コードに対応する商品が未使用状態か認証し、未使用状態ならばステップ３０４に進み、未使用状態でなければステップ３１３に進む。
ステップ３０４：認証ユニット２４は第一商品コードをロック状態にし、ステップ３０５に進む。
ステップ３０５：認証ユニット２４はロック完了データを第三端末装置２３に伝送し、ステップ３０６に進む。
ステップ３０６：第三端末装置２３は商品取引データを取引プラットフォームに表示し、ステップ３０７に進む。
ステップ３０７：第三端末装置２３は第二端末装置２２が取引プラットフォームを通して伝送する商品購買データを受信し、ステップ３０８に進む。
ステップ３０８：第三端末装置２３は第二口座データに対応する金額情報２６１が販売金額を支払うのに十分かを判断し、十分ならばステップ３０９に進み、十分でなければステップ３１３に進む。
ステップ３０９：第三端末装置２３は第二口座データに対応する金額情報２６１から販売金額を差し引き、ステップ３１０に進む。
ステップ３１０：第三端末装置２３は商品取引完了データを認証ユニット２４に伝送し、ステップ３１１に進む。
ステップ３１１：認証ユニット２４は商品に対する第二商品コードを生成して第一商品コードを置き換え、第二商品コードを第三端末装置２３に伝送し、ステップ３１２に進む。
ステップ３１２：第三端末装置２３は第二商品コードを第二端末装置２２に伝送し、第二口座データに対応する金額から支払われた販売金額を第一口座データに対応さする金額情報２６１に加える。
ステップ３１３：取引を終了する。
【００２０】
同じようなポイントカードを使用する一般的な商品については、例えば、商品券、ソフトウェアのシリアルナンバー等の商品でも本発明の方法を利用できる。買主が取得した第二商品コードは第一商品コードとは異なるが、但し第二商品コードは第一商品コードの商品に対応するため、買主は取引完了後に売主により商品が悪用されるのを心配する必要はなく、商品の使用権を不正に取得されることもない。また、売主も商品の販売金額をスムーズに取得できる。このほか、認証ユニット２４は第一商品コードをロックした後に第二商品コードを生成し、第三端末装置２３に保存し、第三端末装置２３は買主の金額を取得後すぐに第二商品コードを買主に提供するため、認証ユニット２４の転換ステップを経る必要がなく、買主と売主双方の取引待ち時間を短縮する。また、第三端末装置２３は第二商品コードを取得後に第二商品コードを表示せず、商品購買データ中の第一商品コード（或いは第一商品名称）を表示する。
【００２１】
（第二実施形態）
前述の商品以外にも売主はオンラインゲームのゲームキャラクター等の商品コードの無い商品も販売できる。本実施例２によると、図５に示すように、インターネット取引システム４は第一端末装置４１、第二端末装置４２、第三端末装置４３、及びゲームメーカのサーバー４４Ａを含む。さらに、ゲームメーカのサーバー４４Ａには認証ユニット４４が設置され、第三端末装置４３はインターネット（Internet）を通してこれら端末装置４１、端末装置４２、及びゲームメーカのサーバー４４Ａにそれぞれ接続され、内部には口座データ２５及び金額データ２６が保存され、口座データ２５は複数の口座情報２５１（図３の参照）で構成される。売主がゲームキャラクターを販売する場合、第一端末装置４１から第一口座データ（売主が登録した口座情報２５１、実施例ではａ３、或いは売主が登録した口座情報２５１のＩＤ識別コード）、商品データ（ゲームキャラクターの名称、レベル、装備等）、及び販売金額（２０００元等）を含む商品取引データが伝送される。次に、第三端末装置４３は第一端末装置４１から伝送された商品取引データを受信後、商品データをゲームメーカのサーバー４４Ａに伝送し、認証ユニット４４は商品データに対応する商品が正確か認証し、即ち売主が入力した商品データ（ゲームキャラクターの名称、レベル、装備等）が販売するゲームキャラクターのデータと合致するかを認証し、合致する場合は商品データに基づき商品コードを生成し、商品データに対応する商品をロック状態にする。
【００２２】
認証ユニット４４は商品データをロックした後、商品コードを第三端末装置４３に伝送し、第三端末装置４３は商品取引データを取引プラットフォームに表示する。その後、買主は第二端末装置４２により取引プラットフォーム上の商品取引データを閲覧し、ゲームキャラクターを購買する場合は第二端末装置４２により、取引プラットフォームを通して第二口座データ（買主が登録した口座情報２５１、実施例２ではａ４、或いは買主が登録した口座情報２５１のＩＤ識別コード）及び商品データを含む商品購買データを第三端末装置４３に伝送する。続いて、第三端末装置４３は商品購買データを受信後、口座データ２５及び金額データ２６に基づき第二口座データ（買主が登録した口座情報２５１、即ちａ４）が対応する金額情報２６１が販売金額を支払うのに十分かを判断し、第二口座データ（即ちａ４）に対応する金額情報２６１は５０００元であるため、第三端末装置４３は第二口座データに対応する金額情報２６１から販売金額を差し引き、販売金額を第一口座データに対応する金額情報２６１に加える。また、商品コードはゲームメーカのサーバー４４Ａに伝送され、ゲームメーカのサーバー４４Ａは商品コードに基づき出荷プロセスを実行する。例えば、ゲームメーカのサーバー４４Ａは先ず商品データに対応する商品（ゲームキャラクター等）のロックを解除し、買主のゲームアカウントに転換する。
【００２３】
以下は本発明のインターネット取引システム４の処理フローチャートを図３、図５、図６Ａ及び図６Ｂに基づいて説明する。
ステップ５０１：第三端末装置４３は第一端末装置４１が伝送する商品取引データを受信し、ステップ５０２に進む。
ステップ５０２：第三端末装置４３は商品データをゲームメーカのサーバー４４Ａの認証ユニット４４に伝送し、ステップ５０３に進む。
ステップ５０３：認証ユニット４４は商品データに対応する商品が正確か認証し、正確である場合はステップ５０４に進み、正確でない場合はステップ５１２に進む。
ステップ５０４：認証ユニット４４は商品データに基づき商品コードを生成し、商品データに対応する商品をロック状態にし、ステップ５０５に進む。
ステップ５０５：認証ユニット４４は商品コードを第三端末装置４３に伝送し、ステップ５０６に進む。
ステップ５０６：第三端末装置４３は商品取引データを取引プラットフォームに表示し、ステップ５０７に進む。
ステップ５０７：第三端末装置４３は第二端末装置４２が取引プラットフォームから伝送した商品購買データを受信し、ステップ５０８に進む。
ステップ５０８：第三端末装置４３は第二口座データに対応する金額情報２６１が販売金額を支払うのに十分かを判断し、十分であればステップ５０９に進み、十分でなければステップ５１２に進む。
ステップ５０９：第三端末装置４３は第二口座データに対応する金額情報２６１から販売金額を差し引き、ステップ５１０に進む。
ステップ５１０：第三端末装置４３は商品コードをゲームメーカのサーバー４４Ａに伝送し、第二口座データに対応する金額から支払われた販売金額を第一口座データに対応する金額情報２６１に加え、ステップ５１１に進む。
ステップ５１１：ゲームメーカのサーバー４４Ａは出荷プロセスを実行する。
ステップ５１２：取引を終了する。
【００２４】
こうすると、前述の実施例２に示すように、買主が購買するバーチャル商品が正常に使用される。例えば、ゲームキャラクターの装備は外されたりせず、売主にもバーチャル商品を提供後に必要な金額を取得でき、買主と売主双方のインターネット取引上の権利を保障する。ちなみに、ゲームメーカのサーバー４４Ａが出荷プロセスを実行する前に認証ユニット４４は商品コードに対する認証を行い、商品コードの正確性を確保し、商品コードの伝送過程で改竄されるのを防止する。次に、第三端末装置４３は商品取引データ中の第一口座データを消去後に商品取引データを取引プラットフォームに表示する。
【００２５】
以上、本発明の実施形態について図面を参照して詳述したが、具体的な構成はこの実施形態に限られるものではなく、本発明の要旨を逸脱しない範囲の設計変更等も含まれる。
【符号の説明】
【００２６】
２  インターネット取引システム、
２１  第一端末装置、
２２  第二端末装置、
２３  第三端末装置、
２４  認証ユニット、
２５  口座データ、
２５１  口座情報、
２６  金額データ、
２６１  金額情報、
４１  第一端末装置、
４２  第二端末装置、
４３  第三端末装置、
４４  認証ユニット、
４４Ａ  ゲームメーカのサーバー。
【図１】
0005898164.tif 000002
【図２】
0005898164.tif 000003
【図３】
0005898164.tif 000004
【図４Ａ】
0005898164.tif 000005
【図４Ｂ】
0005898164.tif 000006
【図５】
0005898164.tif 000007
【図６Ａ】
0005898164.tif 000008
【図６Ｂ】
0005898164.tif 000009